(57)【要約】【課題】据付時の作業性を向上することができる冷凍サイクル装置の室外ユニットを提供することである。【解決手段】実施形態の冷凍サイクル装置の室外ユニットでは、本体の底面に少なくとも左右２つの脚部材を備える。前記脚部材は、据付時に前記据付場所と接する底面部と、前記底面部から上方に立ち上る第１側面部と第２側面部と、前記本体から前後方向に突出して設けられ、前記本体を据付場所に固定する固定部と、を有する。前記本体前方の前記固定部における前記第２側面部に切欠き部を設ける。 【選択図】図４
2016070616.tif 000002
【特許請求の範囲】
【請求項１】
本体の底面に少なくとも左右２つの脚部材を備えた冷凍サイクル装置の室外ユニットにおいて、
前記脚部材は、据付時に前記据付場所と接する底面部と、前記底面部から上方に立ち上る第１側面部と第２側面部と、前記本体から前後方向に突出して設けられ、前記本体を据付場所に固定する固定部と、を有し、
前記本体前方の前記固定部における前記第２側面部に切欠き部を設けたこと
を特徴とする冷凍サイクル装置の室外ユニット。
【請求項２】
前記本体は、前記本体前面に着脱自在なサービスパネルを有し、
前記脚部材のいずれか一つは、前記サービスパネルの下端部と前記切欠き部が対向し、  前記第１側面部が前記サービスパネルの下端部から外れた位置に配置されること
を特徴とする請求項１に記載の冷凍サイクル装置の室外ユニット。
【発明の詳細な説明】
【技術分野】
【０００１】
本発明の実施形態は、冷凍サイクル装置の室外ユニットに係り、特に室外ユニットを支持するとともに据付場所に固定する脚部材を備えた冷凍サイクル装置の室外ユニットに関する。
【背景技術】
【０００２】
一般に冷凍サイクル装置の室外ユニットは、本体の底面に脚部材を有している。据付場所には、予めアンカーボルトが用意されており、このアンカーボルトを脚部材に挿通し、ナットにより固定することで室外ユニットは据付場所に据付けられる。
室外ユニットの脚部材に関しては、例えば特許文献１に記載されたもののように、上方に開口した断面コ字状の脚部材が知られている。この断面コ字状の下面にアンカーボルトが挿入され、ナットが締め付けられる。ナットを締め付ける際に、断面コ字状の下面から上方に立ち上る両側面に邪魔されてスパナやモンキーレンチ等の工具の可動範囲（回転角度）が制限されるため、作業性が良いものではなかった。
【先行技術文献】
【特許文献】
【０００３】
【特許文献１】特開２００９−１４３２５号公報
【発明の概要】
【発明が解決しようとする課題】
【０００４】
本発明の実施形態は、上記のような課題に鑑みなされたもので、据付時の作業性を向上することができる冷凍サイクル装置の室外ユニットを提供することを目的とする。
【課題を解決するための手段】
【０００５】
上記の課題を解決するために、本発明の実施形態の冷凍サイクル装置の室外ユニットでは、本体の底面に少なくとも左右２つの脚部材を備える。前記脚部材は、据付時に前記据付場所と接する底面部と、前記底面部から上方に立ち上る第１側面部と第２側面部と、前記本体から前後方向に突出して設けられ、前記本体を据付場所に固定する固定部と、を有する。前記本体前方の前記固定部における前記第２側面部に切欠き部を設ける。
【図面の簡単な説明】
【０００６】
【図１】本発明の実施形態にかかる冷凍サイクル装置の室外ユニットの斜視図である。
【図２】同実施形態にかかる冷凍サイクル装置の室外ユニットの正面図である。
【図３】同実施形態にかかる冷凍サイクル装置の室外ユニットの分解斜視図である。
【図４】同実施形態にかかる冷凍サイクル装置の室外ユニットの脚部材の斜視図である。
【発明を実施するための形態】
【０００７】
以下、本発明の実施形態を図面にもとづき説明する。
【０００８】
本実施形態の冷凍サイクル装置の室外ユニットＡ（以下、単に室外ユニットＡという）は、図１乃至図３に示すように、本体１を有している。
本体１は、底面を構成する底面パネル３、正面を構成する正面パネル４、正面パネル４と正面を構成するサービスパネル５、右側面および後面の一部を構成する右側面パネル６、複数の空気吸込み口が設けれ、左側面を構成する左側面パネル７、天井面を構成する上面パネル８により形成される。
【０００９】
底面パネル３は、平面視で矩形状をなすとともに、この周縁に沿って折返し部３１が設けられる。底面パネル３の下面（本体１の底面）には、左右２つの脚部材２、２が本体１の幅方向に平行に取付けられる。脚部材２，２は、本体１を支持するとともに、本体１を据付場所に固定する。脚部材２，２は、底面パネル３の前後方向にそれぞれ固定部２Ｆ，２Ｒ（図４参照）を有する。この固定部２Ｆ，２Ｒに据付場所に予め設けられるアンカーボルト等の固定具を挿通し、ナットを介して室外ユニットＡを据付場所に固定することができる。
【００１０】
上面パネル８は、平面視で底面パネル３と略同一の矩形状をなし、周縁に沿って折り返し部８１が設けられる。
【００１１】
本体１の後面から左側面にかけて平面視でＬ字状の熱交換器１０が配置される。熱交換器１０は、例えばフィンチューブ型の熱交換器であり、その長辺部１０ａが右側面パネル６と共に本体１の後面を構成し、短辺部１０ｂが左側面パネル７の内側と対向するように配置される。
【００１２】
本体１内には、熱交換器１０と正面パネル４との間に２つの送風機１１，１１が上下に並んで配置される。正面パネル４には、２つの送風機１１，１１と対向する位置に２つの空気吹出口４１，４１が設けられると共に、２つの空気吹出口４１，４１をそれぞれ覆う２つのファンガード４２,４２が取り付けられる。
【００１３】
本体１内には、底面パネル３から上面パネル８まで延びる仕切板１２が設けられる。この仕切板１２によって本体１内は熱交換室Ｃ１と機械室Ｃ２とに区画される。
【００１４】
熱交換室Ｃ１内に、熱交換器１０、送風機１１が収容される。機械室Ｃ２内に、圧縮機１３、四方弁１４、アキュムレータ１５等の冷凍サイクル構成部品および制御装置１６が収容される。
機械室Ｃ２の前面を覆うようにサービスパネル５が着脱自在に取り付けられる。
【００１５】
２つの脚部材２，２は、同一形状の部材であり、例えば金属製の板材を加工して形成される。脚部材２，２は、図４に示すように、本体１の前後方向に延びるように細長く形成される。脚部材２の底面となる底面部２１が据付場所に接する。この底面部２１の左右両端部から側面部２２，２３が平行に立ち上って形成される。また、脚部材２，２は、底面部２１と側面部２２，２３により上方に開口するコ字状の断面形状に形成される。以下、右側の側面部２２を第１側面部、左側の側面部２３を第２側面部という。
【００１６】
第１、第２の側面部２２，２３には、それぞれ、上端部から外方向に延びる取付部２４，２５が設けられる。取付部２４，２５には、複数のねじ孔２６が設けられる。
さらに、第２側面部２３の取付部２５には、その前面側端部から垂直方向に延びる取付片部２７が設けられる。この取付片部２７には、ねじ孔２８が設けられる。
【００１７】
脚部材２，２の前後両端部は、底面パネル３および本体１から突出しており、前方に突出した部分に前方固定部２Ｆ、２Ｆが設けられ、後側に突出した部分に後方固定部２Ｒ、２Ｒが設けられる。
前方固定部２Ｆ，２Ｆの底面部２１には、アンカーボルトが挿入されるボルト用孔２９Ｆがそれぞれ設けられる。後方固定部２Ｒ、２Ｒの底面部２１には、アンカーボルトが挿入されるボルト用切欠き部２９Ｒがそれぞれ設けられる。ここで、ボルト用孔２９Ｆおよびボルト用切欠き部２９Ｒはともにアンカーボルトの外形よりも大きな幅寸法を有して形成される。さらに、ボルト用孔２９Ｆおよびボルト用切欠き部２９Ｒは、その前後方向の長さ寸法が幅寸法よりも大きく形成される。これにより、予め据付場所に設けられたアンカーボルトに若干のずれが生じた場合でも室外ユニットＡを据付場所に設置することができる。
【００１８】
前方固定部２Ｆ，２Ｆの第１側面部２２は、前方に向けて高さが低くなるように傾斜する傾斜部２２Ｆが形成される。一方、前方固定部２Ｆ，２Ｆの第２側面部２３には、切欠き部２３Ｆが形成され、第２側面部２３の上端部の高さが第１側面部２２に比べて低くなっている。
後方固定部２Ｒ，２Ｒの第１側面部２２、第２側面部２３は、前方固定部２Ｆの第１側面部２２と同様にそれぞれ傾斜部２２Ｒ、２３Ｒが形成される。
また、前方固定部２Ｆ，２Ｆおよび後方固定部２Ｒ，２Ｒの端部は、いずれもヘミング加工が施され外側に折り返される。ヘミング加工により端部の強度が増し、変形しにくくなる。
【００１９】
以上のように構成された脚部材２，２は、第１，第２側面部２２，２３の取付部２４，２５にそれぞれ設けられた複数のねじ孔２６を用いて、底面パネル３の下面にねじ固定される。さらに、取付部２５の前面側に設けられた取付片部２７のねじ孔２８を用いて、底面パネル３の折り返し部３１にねじ固定される。
【００２０】
ここで、図２に示すように、サービスパネル５の下方に位置する右側の脚部材２は、その前方固定部２Ｆの第２側面部２３がサービスパネル５の下端部５ｂに対向し、もう一方の第１側面部２２がサービスパネル５の下端部５ｂから外れた位置となるように配置される。
【００２１】
本実施形態の室外ユニットＡを据付場所に据付ける場合、まず、固定部２Ｆ，２Ｒの位置とアンカーボルトの位置合わせを行いながら、前方固定部２Ｆ，２Ｆのボルト用孔２９Ｆ，２９Ｆおよび後方固定部２Ｆ，２Ｒのボルト用切欠き部２９Ｒ，２９Ｒにアンカーボルトが挿通されるように室外ユニットＡを据付場所に置く。次に固定部２Ｆ，２Ｒを介して上方に突出したアンカーボルトにナットを締め付けて固定する。
【００２２】
本実施形態では、前方固定部２Ｆの第２側面部２３に切欠き部２３Ｆが形成されているので、アンカーボルトにナットを締め付ける際に、第２側面部２３が邪魔になりにくく、例えばスパナやモンキーレンチ等の工具の可動範囲（回転角度）を大きくできるので作業性が向上する。
【００２３】
さらに、本実施形態では、２つの脚部材２，２を同一部材としたことにより、部品の共通化が図れるとともに、２つの切欠き部２３Ｆ、２３Ｆが正面から見て左側に形成されることになり、アンカーボルトにナットを締め付ける方向に向けて工具の可動範囲が広くなるので、据付時の作業性が向上する。
【００２４】
また、本実施形態の室外ユニットＡにおいて、サービスパネル５を機械室Ｃ２の前面に取り付けるときは、サービスパネル５の上端部５ａを上面パネル８の折り返し部８１に挿入するようにサービスパネルを持ち上げ、下端部５ｂが底面パネル３の折り返し部３１を覆うように配置する。その後、ねじ等の固定具を用いてサービスパネルを本体１に固定する。
一方、サービスパネル５を機械室Ｃ２の前面から取り外すときは、サービスパネルを本体１に固定している固定具を取り外した後、サービスパネル５の上端部５ａを上面パネル８の折り返し部８１から抜き出すようにサービスパネル５を下方に引き下げる。
【００２５】
本実施形態では、右側の脚部材２が、切欠き部２３Ｆが形成された第２側面部２３がサービスパネル５の下端部５ｂに対向し、切欠き部２３Ｆが形成されていない第１側面部２２がサービスパネル５の下端部５ｂから外れた位置となるように配置されるため、サービスパネル５を機械室Ｃ２から取り外すときに、下方に位置する脚部材２が邪魔になることがなく、サービスパネルの着脱作業が行いやすい。
【００２６】
なお、本実施形態では、切欠き部２３Ｆを前方固定部２Ｆの左側に設けた例を説明したが、前方固定部２Ｆの両方の側面部２２，２３に設けてもよいし、後方固定部２Ｒに設けてもよい。
【００２７】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００２８】
１…本体、２…脚部材、２Ｆ…前方固定部、２Ｒ…後方固定部、２１…底面部、２２…第１側面部、２３…第２側面部、２３Ｆ…切欠き部、３…底面パネル、５…サービスパネル。
【図１】
2016070616.tif 000003
【図２】
2016070616.tif 000004
【図３】
2016070616.tif 000005
【図４】
2016070616.tif 000006